(57)【要約】      （修正有）【課題】冷却効率を高め、保守が容易なモールド型静止誘導機器を提供する。【解決手段】モールド型静止誘導機器は、鉄心１０と、前記鉄心の外周に装着された複数の巻線１２と、前記巻線に送風可能に構成される送風機１４と、を備える。また、巻線１２の下部に位置して設けられた案内板６を更に備える。案内板６は、巻線１２の直下に位置して、開口部６ａを備える。送風機１４は、開口部６ａの直下に配置される。巻線１２内部には、巻線内流路１３が設けられており、開口部６ａは、巻線１２の形状に対応して構成される窓部である。【選択図】図２
2019033176.tif 000002
【特許請求の範囲】
【請求項１】
鉄心と、
前記鉄心の外周に装着された複数の巻線と、
前記巻線方向に送風可能に構成される送風機と、を備える、
モールド型静止誘導機器。
【請求項２】
前記巻線の下部に位置して設けられた案内板を更に備え、
前記案内板は前記巻線の直下に位置して開口部を備え、
前記送風機は前記開口部の直下に配置される、請求項１に記載のモールド型静止誘導機器。
【請求項３】
前記巻線内部には巻線内流路が設けられている請求項１又は２に記載のモールド型静止誘導機器。
【請求項４】
前記開口部は、前記巻線の形状に対応して構成される窓部である請求項２に記載のモールド型静止誘導機器。
【請求項５】
前記開口部は、略円形状の窓部と、前記窓部に対して同心円状に構成されたスリット部からなる請求項２に記載のモールド型静止誘導機器。
【請求項６】
前記スリット部は、前記巻線内流路の直下に、前記巻線内流路の位置に対応して配置される請求項５に記載のモールド型静止誘導機器。
【請求項７】
前記モールド型静止誘導機器は気密に構成された容器内に収納されており、
前記案内板は、前記容器の内壁に固定された案内板支えにクッション材を介して固定され、
前記容器は前記案内板により、下部室及び上部室に分けられる、請求項１から６のいずれか一項に記載のモールド型静止誘導機器。
【請求項８】
前記案内板支え、前記クッション材、及び前記案内板は、前記開口部を除けば気密に構成されている、請求項７に記載のモールド型静止誘導機器。
【請求項９】
前記送風機を第１の送風機とした場合に、
前記上部室に接続される上部連通路と、及び、前記下部室に接続される下部連通路とを介して接続される冷却器と、
前記下部連通路に配置され、前記下部室方向に送風可能な第２の送風機と、を備える請求項７又は８に記載のモールド型静止誘導機器。
【請求項１０】
前記容器内には大気圧を超える圧力の空気が封入されている請求項７から９の何れか一項に記載のモールド型静止誘導機器。
【発明の詳細な説明】
【技術分野】
【０００１】
本発明の実施形態は、モールド型静止誘導機器に関する。
【背景技術】
【０００２】
特許文献１に示すように、モールド型静止誘導機器は、より高電圧化、大容量化を可能とするため、大気圧を上回る圧力の冷却媒体を封入する密閉容器にモールド型静止誘導機器本体を収納し、冷却媒体を冷却する熱交換器と、冷却媒体を循環させる送風機を備えている。
【先行技術文献】
【特許文献】
【０００３】
【特許文献１】特開２０１５−２２５８９４号公報
【発明の概要】
【発明が解決しようとする課題】
【０００４】
しかし、冷却媒体を循環させるだけではモールド型静止誘導機器を効率よく冷却できない。また、モールド型静止誘導機器の点検、修理などの保守を容易にする必要がある。そこで、冷却効率を高め、保守が容易なモールド型静止誘導機器を提供する。
【課題を解決するための手段】
【０００５】
実施形態に係るモールド型静止誘導機器は、鉄心と、前記鉄心の外周に装着された複数の巻線と、前記巻線に送風可能に構成された送風機と、を備える。
【図面の簡単な説明】
【０００６】
【図１】第１実施形態に係るモールド型静止誘導機器の概略構成を示す縦断面図
【図２】モールド型静止誘導機器の概略構成を示す縦断面図
【図３】モールド型静止誘導機器の概略構成を示す横断面図
【図４】案内板の概略構成を示す平面図
【図５】第２実施形態に係る案内板の概略構成を示す平面図
【図６】第３実施形態に係るモールド型静止誘導機器の構成を示す上視図
【図７】第４実施形態に係るモールド型静止誘導機器の構成を示す上視図
【図８】第５実施形態に係るモールド型静止誘導機器の構成を示す上視図
【発明を実施するための形態】
【０００７】
以下、実施形態について図面に基づいて説明する。実施形態の説明において実質的に同一の構成部位には同一の符号を付し、説明を省略する。また、下記説明及び図において、上下方向は、変圧器１を設置した際の上下方向を意味しており、鉄心１０及び巻線１２の軸方向が上下方向となる。
【０００８】
（第１実施形態）
図１から図４は、第１実施形態に係るモールド型静止誘導機器の一例として示す変圧器１の概略構成を示す図である。図１は変圧器１の概略構成を示す縦断面図であり、図３のＥ−Ｅ線における縦断面図を示している。図２は、図１のＢ−Ｂ線、Ｃ−Ｃ線、又はＤ−Ｄ線における変圧器１の概略構成を示す断面図であり、冷却器１６の概略構成も示している。図３は、図１のＡ−Ａ線における変圧器１の概略構成を示す横断面図である。
【０００９】
図１及び図２に示すように、変圧器１は、鉄心１０と、鉄心１０の外周に巻回されて装着される巻線１２とを備えている。これら鉄心１０、巻線１２等は変圧器１の筐体である容器２の内部に収納されている。容器２は内部を気密に保持して構成される。容器２の内部には、絶縁ガスなどの絶縁冷却媒体が充填されている。本実施形態では、冷却媒体は空気（気体）である。
【００１０】
鉄心１０は上部に上ヨーク１０ａ、下部に下ヨーク１０ｂを備えている。鉄心１０は、上ヨーク１０ａ及び下ヨーク１０ｂ部において図示しないクランプによって挟持固定されている。巻線１２は上下から図示しない巻線押えにより固定されている。
【００１１】
巻線１２は全体として円柱形状を呈しており、巻線１２の内部には、上下方向に貫通する巻線内流路１３が設けられている。巻線内流路１３は巻線１２内に、巻線１２の軸方向であって、巻線１２の中心軸に対して同心円状に構成された間隙である。巻線内流路１３には冷却媒体を流通させることが可能である。冷却媒体が巻線内流路１３内を流通することにより、巻線１２を内部から冷却することができる。巻線内流路１３に図示しないスペーサを備えるようにして、間隙を保持するようにしてもよい。
【００１２】
図３に示すように、巻線１２は横断面において円形状を呈している。巻線１２の中心には、横断面において円形状の空洞部１２ｃが存在しており、この空洞部１２ｃに鉄心１０が配置されている。図３に例示する巻線１２では、巻線内流路１３が、空洞部１２ｃと同心円状に３重に設けられている。なお、巻線１２の形状は、上記形状に限定されることはなく、横断面の形状が角部が丸くされた長方形であり、中心に空洞部を備える四角柱形状、あるいは、横断面の形状が楕円であり、中心に空洞部を備える円柱形状であってもよい。
【００１３】
図１から図４に示されるように、案内板６は巻線１２の下部に位置して設けられている。案内板６は、容器２の内壁側面に固定された案内板支え４にクッション材５を介して固定されている。案内板支え４は中心に開口部を備える矩形枠形状の平板であり、例えば鉄で構成されている。案内板支え４は、例えば溶接により容器２の内壁側面に固定されており、容器２の内壁側面とは気密に固定されている。クッション材５は矩形枠形状の平板形状に構成された部材であり、例えば弾性体により形成されている。案内板６は絶縁材料で構成されている。クッション材５は案内板支え４と案内板６との隙間を埋めることにより案内板支え４と案内板６の間の隙間を埋め、冷却媒体が案内板支え４と案内板６の間の隙間から漏れ出すことを防止する機能を有している。これにより、容器２と案内板支え４とクッション材５と案内板６の間で気密に構成されている。以下、容器２のうち、案内板６の下部を下部室２ａ、案内板６の上部を上部室２ｂと称する。容器２は、案内板６により、下部室２ａと上部室２ｂとに分けられている。
【００１４】
図２に示すように、変圧器１は、容器２の上部室２ｂに設けられた上部連通路１８と、容器２の下部室２ａに設けられた下部連通路２０を介して接続された冷却器１６を備えている。冷却器１６は熱交換器であり、冷却器１６に封入される冷却媒体を冷却する機能を備えている。上部連通路１８及び下部連通路２０により、容器２内の冷却媒体は、冷却器１６と連通可能となっている。巻線１２において熱せられた冷却媒体は上部室２ｂから上部連通路１８を通過して冷却器１６内に入り、冷却器１６によって冷却された後、冷却直後の冷却媒体が下部連通路２０を通過して容器２の下部室２ａに流入する。下部連通路２０には送風機２２が設けられている。送風機２２により、冷却器１６内の冷却媒体を下部室２ａに効率的に送風して輸送することが可能となる。容器２と、容器２に上部連通路１８及び下部連通路２０を介して接続された冷却器１６の内部は気密に構成されている。冷却媒体は大気圧を超える圧力で容器２及び冷却器１６に封入されている。内部に封入される冷却媒体の圧力を高めることで、冷却性能を向上させることができる。また、冷却媒体としては空気を用いている。これにより、変圧器１の保守等の際に、容器２内の減圧、容器２内への侵入、冷却媒体の再封入等の作業が容易となる。従って、変圧器１の点検、修理等の保守作業が容易となる。
【００１５】
図３、図４に示すように、案内板６は矩形の平板板状の部材である。案内板６の外周は、案内板支え４の内縁部に重なるように構成されており、この重なり部分にクッション材５を狭在させることにより案内板支え４と案内板６とを接続している。案内板６には、巻線１２の真下位置に対応するように、巻線１２の形状に対応して構成される開口部６ａ、この場合、略円形状の窓部である開口部６ａが設けられている。変圧器１の設置状態において、開口部６ａには鉄心１０が貫通している。開口部６ａの大きさは、巻線１２の外壁にも冷却媒体が流通するように、巻線１２の外径よりも少し大きな直径となるように構成されている。容器２と案内板支え４、クッション材５、及び案内板６は、開口部６ａを除けば、気密に構成されており、容器２と案内板支え４、クッション材５、及び案内板６の間では気体の漏れが無いように構成されている。
【００１６】
図１及び図２に示すように、送風機１４は、巻線１２の直下に位置するように配置されている。すなわち、送風機１４は、案内板６の開口部６ａの直下に位置するように配置されている。送風機１４は容器２の下部すなわち下部室２ａに配置されている。送風機１４は、冷却器１６によって冷却された直後の冷却媒体を下から上方向に移動させている。送風機１４の真上には開口部６ａと、巻線１２及び巻線内流路１３とが位置している。送風機１４により、冷却媒体は真上方向に吹き付けられ、案内板６の開口部６ａを通過し、主として巻線内流路１３、巻線１２の内側壁１２ａ及び外側壁１２ｂを通過するように送風される。このように、送風機１４によって作り出された冷却媒体の流れは、開口部６ａによって効率的に巻線１２方向に進むように方向づけられ、巻線内流路１３、巻線１２の内側壁１２ａ及び外側壁１２ｂを通過する。なお、図１及び図２に示される送風機１４は、断面位置の関係から、鉄心１０の左右前後前後にしか配置されていないように見えるが、断面に示されない位置にも配置されていてもよい。つまり、送風機１４は設置場所が許す限り多く配置するようにすればよい。
【００１７】
また、上記のような開口部６ａを備えた案内板６と、開口部６ａの直下に備えられた送風機１４により、送風機１４により生じた冷却媒体の流れを、巻線１２方向に集中させることができる。すなわち、冷却媒体を、巻線内流路１３、巻線１２の内側壁１２ａ（すなわち巻線１２と鉄心１０との間隙）及び外側壁１２ｂ方向に集中させて送風することができるため、巻線１２を効率的に冷却することができる。
【００１８】
また、送風機１４及び送風機２２により、下部室２ａ→巻線１２すなわち巻線内流路１３→上部室２ｂ→上部連通路１８→冷却器１６→下部連通路２０→下部室２ａ、のような経路で循環して流れる冷却媒体の循環経路が形成される。
【００１９】
第１実施形態の静止誘導機器によれば以下の効果を奏する。
巻線１２の下部に位置するように設けられた開口部６ａを備える案内板６と、開口部６ａの下部、好ましくは直下に位置するように送風機１４が配置されている。送風機１４により、冷却媒体は上方向、すなわち巻線１２方向に送風される。また、巻線１２には巻線内流路１３が設けられており、巻線内流路１３を冷却媒体が通過する。開口部６ａは巻線１２外径よりも少し大きく開口するように構成されている。この構成により、巻線１２の巻線内流路１３、巻線１２の内側壁１２ａ及び外側壁１２ｂ方向に集中して冷却媒体を送風することが可能となるため、巻線１２の冷却効率を向上させることができる。
【００２０】
また、容器２は案内板６により下部室２ａと上部室２ｂとに分けられて隔てられる。下部室２ａには冷却器１６により冷却された冷却媒体が送風されており、この冷却された冷却媒体を送風機１４により巻線１２方向に送風することができる。巻線１２を冷却することにより暖められた冷却媒体は上部室２ｂに送風される。上部室２ｂの冷却媒体は上部連通路１８を介して冷却器１６に送られ、冷却器１６により冷却される。この構成により、冷却された直後の冷却媒体が巻線１２により暖められた冷却媒体と混ざり合うことがない。このため、温度の低い冷却媒体を効率的に巻線１２に送風することができるため、巻線１２の冷却効率を向上させることが可能となる。
【００２１】
また、容器２の下部室２ａに連通する下部連通路２０には送風機２２が備えられている。これにより、冷却器１６によって冷却された直後の冷却媒体を効率的に下部室２ａに送風することができる。また、下部室２ａには、送風方向を上方向すなわち巻線１２方向に設定された複数個の送風機１４が備えられている。これにより、冷却器１６で冷却された冷却媒体が送風機２２により下部室２ａに送風され、この冷却された冷却媒体が送風機１４により巻線１２方向すなわち巻線内流路１３、巻線１２の内側壁１２ａ及び外側壁１２ｂ方向に集中的に送風される。このように、冷却器１６により冷却された冷却媒体を下部室２ａに送風する送風機２２と、下部室２ａに配置され巻線１２方向に冷却媒体を送風する送風機１４により、冷却された直後の冷却媒体を冷却対象である巻線１２方向に効率的に送風することができるため、巻線１２を効率的に冷却することが可能となる。このため、巻線１２の冷却効率を向上させることができる。この場合、下部連通路２０及び送風機２２を複数個設ければ、さらに巻線１２の冷却効率を向上させることが可能となる。また、送風機１４及び送風機２２により、冷却媒体の循環を促進するため、これによっても巻線１２の冷却効率を向上させることができる。
【００２２】
また、案内板６は、容器２の内壁に固定された案内板支え４にクッション材５を介して固定されている。この場合、クッション材５は案内板支え４と案内板６との隙間を埋めて冷却媒体が案内板支え４と案内板６の間から漏れ出すことを防止する機能を有している。この構成により、冷却器１６から下部室２ａに送風されて輸送された冷却された直後の冷却媒体が漏れ出すことがなくなり、巻線１２方向に送風される冷却直後の冷却媒体の損失を抑制することができる。このため、巻線１２の冷却効率の低下を抑制することができる。
【００２３】
また、冷却媒体は温度が高いと密度が低く、温度が低いと密度が高くなる。そのため、送風機１４及び送風機２２が停止した場合であっても、冷却器１６により冷却された冷却媒体の温度による密度差で対流が生じるため、冷却媒体は上記循環経路で循環する。これにより、送風機１４及び送風機２２が停止した場合でも冷却器１６により生じる対流によって巻線１２の冷却が行われる。また、この場合においても、開口部６ａの直上に位置する巻線１２方向に集中的に冷却媒体が流れ込むため、巻線内流路１３、内側壁１２ａ、及び外側壁１２ｂに冷却媒体を集中的に送風することができる。このため、送風機１４及び送風機２２が停止した状態であっても、巻線１２の冷却効率を向上させることが可能となる。
【００２４】
（第２実施形態）
次に、第２実施形態について説明する。図５は、案内板６の変形例の概略構成を示す平面図である。第２実施形態においては、巻線１２直下に位置する案内板６に、巻線内流路１３及び外側壁１２ｂに向けたスリット部７０を設けるというものである。
【００２５】
図５に示すように、案内板６０は、全体として矩形形状の平板である。案内板６０は円形の窓部である開口部６１、及び開口部６１と同心円状に配置された複数のスリット部７０を備えている。スリット部７０は例えば約９０度の角度範囲の４つの扇形領域に配置されている。各スリット部７０は、開口部６１に近いほうから、スリット部７１、７２、７３、７４の順に並んでいる。それぞれのスリット部７０は、扇形領域の境界領域に設けられたブリッジ部８を介して円周方向に隣接するように配置されている。各スリット部７０は同心円状に配列されており、ブリッジ部８により分断された４つの環状のスリットを構成している。
【００２６】
案内板６０を変圧器１に設置した状態で、案内板６０は巻線１２の真下に配置されている。この場合、開口部６１は鉄心１０を貫通させることができる程度の内径を備えており、開口部６１は鉄心１０を貫通させて設置されている。また、この場合、内側から３つのスリット部７１、７２、７３は巻線１２の各巻線内流路１３の真下位置に、巻線内流路１３の配置に対応して配置されている。最外周のスリット部７４は、巻線１２の外側壁１２ｂのやや外側に位置するように配置されている。
【００２７】
送風機１４は案内板６０の下部に配置されており、送風機１４によって冷却媒体が上方向に送風されるため、送風機１４によって送風された冷却媒体は、巻線内流路１３の真下に位置するスリット部７０を通過し、巻線内流路１３及び外側壁１２ｂ方向に集中的に送風される。また、開口部６１を通過した冷却媒体は鉄心１０と巻線１２の内側壁１２ａとの間の間隙を通過することにより巻線１２の内側壁１２ａに送風されて輸送される。
【００２８】
その他の構成は、第１実施形態に係る変圧器１と同様の構成である。
第２実施形態に係る案内板６０を用いた変圧器１によれば、第１実施形態と同様の効果を奏する他、以下の効果を奏する。
【００２９】
案内板６０に設けられたスリット部７０（７１、７２、７３、７４）は、案内板６０が変圧器１に設置された状態で、巻線１２の巻線内流路１３及び外側壁１２ｂの直下の位置となるように構成されている。また、開口部６１は鉄心１０と内側壁１２ａとの間の間隙の直下の位置に配置されている。従って、冷却媒体が送風機１４により上方に送風される結果、冷却媒体は巻線１２の巻線内流路１３、内側壁１２ａ、及び外側壁１２ｂに向けて集中的に送風されて輸送される。このようにして、容器２の下部室２ａ内の冷却直後の冷却媒体を、巻線１２方向すなわち巻線内流路１３、巻線１２の内側壁１２ａ及び外側壁１２ｂ方向に集中して送風することができるため、巻線１２の冷却効率を向上させることができる。
【００３０】
また、この構成によれば、案内板６０のスリット部７０及び開口部６１を通過した冷却媒体は、巻線１２の底部部分等に向かって送風されることがない。従って、送風機１４によって送付される冷却媒体が冷却媒体の流れを妨げる構造物に向かって流れることがないため、送風効率が低下することがない。従って、巻線１２の冷却効率を向上させることができる。
【００３１】
（第３実施形態）
次に、第３実施形態について図６を参照して説明する。図６は、巻巻線２５を上方から臨む図であり、巻線２５の下方に配置される送風機２６（２６ａ、２６ｂ）を上から透視した状態で示している。第３実施形態における巻線２５は、中心部分に空洞部２５ｃを備え、上方から見ると角が丸まった略四角形状（略長方形）を呈しており、長方形の短辺側Ｆと長辺側、及び角部である領域Ｇを備える。短辺側Ｆのうち領域Ｇ間の領域を領域Ｈとし、長辺側の領域Ｇ間の領域を領域Ｊとする。巻線２５は上述の巻線１２と同様に、内側壁２５ａ、外側壁２５ｂを備えている。また、図６において、巻線内流路１３は省略しているが実際には存在している。その他は、第１及び第２実施形態と同じである。
【００３２】
この略長方形の巻線２５において、巻線２５を備えた変圧器１の運転時には、短辺側Ｆの発熱が大きいという性質を有する。また、略長方形の巻線２５の短辺側Ｆにおいて、特に角部である領域Ｇの発熱が大きいという性質を有する。領域Ｊの発熱は、短辺側Ｆの領域Ｇ及び領域Ｈよりも大きくない。
【００３３】
そこで、まず、領域Ｇに送風機２６ａを配置する。領域Ｇに送風機２６ａを配置することで、巻線２５の中で最も発熱が大きく温度が高い領域Ｇに向けて送風することができるため、冷却効率を向上させることができる。
【００３４】
また、領域Ｈに送風機２６ｂを配置する。領域Ｈに送風機２６ｂを配置することで、巻線２５において領域Ｇの次に発熱が大きく温度が高い領域Ｈに向けて送風することができるため、冷却効率を向上させることができる。
【００３５】
従って、送風機２６の配置としては、領域Ｇ、領域Ｈ、領域Ｊの順に優先的に配置することが望ましい。領域Ｊに送風機２６を配置しても構わない。
第３実施形態に係る構成により、第１及び第２実施形態と同様の効果を得る。また、第３実施形態に係る構成により、巻線１２の冷却効率を更に向上させることができる。
【００３６】
（第４実施形態）
次に、第４実施形態について図７を参照して説明する。図７は、巻線２７を上方から臨む図であり、巻線２７の下方に配置される送風機２６を上から透視した状態で示している。第４実施形態における巻線２７は、上方から見ると長径と短径を備える楕円形を呈しており、長径方向の二つの端部に領域Ｋを備える。領域Ｋ間の領域を領域Ｌとする。巻線２７は、内側壁２７ａ、外側壁２７ｂを備えている。また、図７において、巻線内流路１３は省略しているが実際には存在している。その他の構成は、第１〜第３実施形態と同じである。
【００３７】
この楕円形の巻線２７において、巻線２７を備えた変圧器１の運転時には、長辺方向の端部領域である領域Ｋの発熱が大きいという性質を有する。領域Ｌの発熱は、領域Ｋよりも大きくない。
【００３８】
そこで、まず、領域Ｋに送風機２６を配置する。領域Ｋに送風機２６を配置することで、巻線２７の中で最も発熱が大きく温度が高い領域Ｋに向けて送風することができるため、冷却効率を向上させることができる。
【００３９】
従って、送風機２６の配置としては、領域Ｋ、領域Ｌの順に優先的に配置することが望ましい。領域Ｌに送風機２６を配置しても構わない。
第４実施形態に係る構成により、第１から第３実施形態と同様の効果を得る。また、第４実施形態に係る構成により、巻線２７の冷却効率を更に向上させることができる。
【００４０】
（第５実施形態）
次に、第５実施形態について図８を参照して説明する。図８は、３個の巻線２５により構成された三相変圧器１の変圧器本体を上方から臨む図であり、巻線２５の下方に配置される送風機２６を上から透視した状態で示している。
【００４１】
図８は、第３実施形態で例示した巻線２５すなわち角が丸く形成された略四角形状（略長方形）を呈する巻線２５を３個並べて三相の変圧器１を構成した例を例示している。巻線２５のその他の構成は第３実施形態と同じである。この巻線２５が三個、長辺部分である領域Ｊを対向させるように３個並べて配置されており、中心の空洞部２５ｃには鉄心１０が貫通して配置されている。
【００４２】
第５実施形態に係る変圧器１においては、第３実施形態と同様に、送風機２６は、図６における短辺側Ｆの領域Ｇ及び領域Ｈに配置されている。また、第５実施形態では、巻線間３０に冷却媒体を送風するための送風機２８が更に設けられている。送風機２８は、巻線間３０を望む位置に配置されている。例えば、送風機２８は、横から斜め上方向の巻線間３０に向けて配置さる。これにより、送風機２８は、矢印２９のように冷却媒体を巻線間３０方向に送風可能に構成される。なお、送風機２８は巻線間３０を両側から挟むような位置で配置されているが、片方の配置としてもよい。
【００４３】
ここで、送風機２８は必ずしも巻線２５の下方に配置される必要はない。また、第５実施形態においては、案内板６は必ずしも必要ではない。案内板６が無くても、巻線２５の下方に配置された送風機２６、及び、巻線間３０に送風可能に配置された送風機２８により、巻線２５の冷却効率を向上させることができる。
【００４４】
上記のように第１実施形態及び第２実施形態について説明したが、以下のような変形を行うことができる。
第１及び第２実施形態においては、モールド型静止誘導機器として変圧器１を例示して説明したがこれに限定されない。例えば、リアクトルに適用してもよい。また、巻線１２は３つの巻線内流路１３を備える構成を例示したが、これに限定されない。巻線内流路１３は一つでもよいし、さらに多くの巻線内流路１３を備える巻線１２としてもよい。
【００４５】
以上のように、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４６】
１…変圧器、２…容器、２ａ…下部室、２ｂ…上部室、４…案内板支え、５…クッション材、６、６０…案内板、６ａ、６１…開口部、７０、７１、７２、７３、７４…スリット部、８…ブリッジ部、１０…鉄心、１２、２５、２７、３０…巻線、１２ａ、２５ａ、２７ａ…内側壁、１２ｂ、２５ｂ、２７ｂ…外側壁、１２ｃ、２５ｃ…空洞部、１３…巻線内流路、１４、２２、２６、２６ａ、２６ｂ、２８…送風機、１６…冷却器、１８…上部連通路、２０…下部連通路
【図１】
2019033176.tif 000003
【図２】
2019033176.tif 000004
【図３】
2019033176.tif 000005
【図４】
2019033176.tif 000006
【図５】
2019033176.tif 000007
【図６】
2019033176.tif 000008
【図７】
2019033176.tif 000009
【図８】
2019033176.tif 000010